(57)【要約】【課題】１つのアンテナで広帯域の水平偏波と垂直偏波の両方を送受信可能なアンテナ特性を有する平面状アンテナを提供する。【解決手段】広帯域周波数の水平偏波を送受信する平面状の水平アンテナ素子部２と、広帯域周波数の垂直偏波を送受信する平面状の垂直アンテナ素子部３と、を同一平面状に連続して形成した直角Ｌ字状のアンテナ素子部１を備える。【選択図】図１
2012019310.tif 000002
【特許請求の範囲】
【請求項１】
広帯域周波数の水平偏波を送受信する平面状の水平アンテナ素子部（２）と、広帯域周波数の垂直偏波を送受信する平面状の垂直アンテナ素子部（３）と、を同一平面状に連続して形成した直角Ｌ字状のアンテナ素子部（１）を備えたことを特徴とする平面状アンテナ。
【請求項２】
上記直角Ｌ字状のアンテナ素子部（１）は、２つの給電点（50）（50）を有すると共に該給電点（50）（50）近傍のスリット部（59）のみが開口するループ状であって、かつ、水平部（52）と垂直部（53）から成る直角Ｌ字状に形成された外枠素子部（５）と、該外枠素子部（５）の内方位置に配設される水平部（62）と垂直部（63）から成る直角Ｌ字板状の無給電素子部（６）と、有し、
上記外枠素子部（５）の上記水平部（52）と上記無給電素子部（６）の上記水平部（62）とで上記水平アンテナ素子部（２）を形成し、
上記外枠素子部（５）の上記垂直部（53）と上記無給電素子部（６）の上記垂直部（63）とで上記垂直アンテナ素子部（３）を形成した請求項１記載の平面状アンテナ。
【請求項３】
上記外枠素子部（５）は、上記水平部（52）の外端辺部（52ａ）から、上記無給電素子部（６）の上記水平部（62）の外端辺部（62ａ）に接近する方向に突出する帯状水平突片（57）を有し、かつ、上記垂直部（53）の外端辺部（53ａ）から、上記無給電素子部（６）の上記垂直部（63）の外端辺部（63ａ）に接近する方向に突出する帯状垂直突片（58）を有する請求項２記載の平面状アンテナ。
【発明の詳細な説明】
【技術分野】
【０００１】
本発明は、平面状アンテナに関する。
【背景技術】
【０００２】
従来、無線通信機器に使用されるアンテナはその機器が利用する周波数帯のみを対象としている。例えば、自動車の場合、ＡＭ／ＦＭラジオ、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）、ＧＰＳ（Ｇｌｏｂａｌ  Ｐｏｓｉｔｉｏｎｉｎｇ  Ｓｙｓｔｅｍ）、テレビ（ＶＨＦ／ＵＨＦ帯）、ＥＴＣ（Ｅｌｅｃｔｒｏｎｉｃ  Ｔｏｌｌ  Ｃｏｌｌｅｃｔｉｏｎ  ｓｙｓｔｅｍ）など様々な周波数の電波を受信するアンテナが自動車の内外に設けられている（例えば、特許文献１参照）。さらに、その利用する電波が、水平偏波であるなら水平型アンテナが、垂直偏波であるならば垂直型アンテナが設けられていた。
【先行技術文献】
【特許文献】
【０００３】
【特許文献１】特開平９−１３０１２０号公報
【発明の概要】
【発明が解決しようとする課題】
【０００４】
しかし、多数のアンテナを設置するには、手間や時間がかかると共に、多数の設置箇所を確保する必要があるといった問題があった。
また、垂直偏波や水平偏波は、障害物に当たることで水平偏波から垂直偏波へ、或いは、垂直偏波から水平偏波へ、変化してしまう場合がある。つまり、周波数と、水平又は垂直偏波と、に対応した適切なアンテナを設けていても、高層建築物が乱立する場所や山間部では、均一に電波を送受信できないという問題があった。特に、自動車業界において、水平偏波及び垂直偏波を１つのアンテナで受信可能なものが求められている。また、アンテナは、複数の周波数（帯域）を受信可能な広帯域が好ましいとされていた。
【０００５】
そこで、本発明は、１つのアンテナで広帯域の水平偏波と垂直偏波の両方を送受信可能なアンテナ特性を有する平面状アンテナの提供を目的とする。
【課題を解決するための手段】
【０００６】
上記目的を達成するために、本発明の平面状アンテナは、広帯域周波数の水平偏波を送受信する平面状の水平アンテナ素子部と、広帯域周波数の垂直偏波を送受信する平面状の垂直アンテナ素子部と、を同一平面状に連続して形成した直角Ｌ字状のアンテナ素子部を備えたものである。
また、上記直角Ｌ字状のアンテナ素子部は、２つの給電点を有すると共に該給電点近傍のスリット部のみが開口するループ状であって、かつ、水平部と垂直部から成る直角Ｌ字状に形成された外枠素子部と、該外枠素子部の内方位置に配設される水平部と垂直部から成る直角Ｌ字板状の無給電素子部と、有し、上記外枠素子部の上記水平部と上記無給電素子部の上記水平部とで上記水平アンテナ素子部を形成し、上記外枠素子部の上記垂直部と上記無給電素子部の上記垂直部とで上記垂直アンテナ素子部を形成したものである。
また、上記外枠素子部は、上記水平部の外端辺部から、上記無給電素子部の上記水平部の外端辺部に接近する方向に突出する帯状水平突片を有し、かつ、上記垂直部の外端辺部から、上記無給電素子部の上記垂直部の外端辺部に接近する方向に突出する帯状垂直突片を有するものである。
【発明の効果】
【０００７】
本発明によれば、偏波毎に多数のアンテナを設ける必要がなく、１つのアンテナで水平偏波と垂直偏波を受信できる。利用する周波数に対し、均一に電波を送受信可能なアンテナ特性を得ることができる。Ｌ字状であるため、自動車のフロントガラスや、建築物の窓の隅部に沿って配設でき、視界を損ねずに設置できる。複数の周波数帯域の水平偏波と垂直偏波を１つのアンテナで送受信できる。
【図面の簡単な説明】
【０００８】
【図１】本発明の実施の一形態を示す正面図である。
【図２】図１のＡ−Ａ拡大断面図である。
【図３】図１の要部拡大図である。
【図４】図１の要部拡大図である。
【図５】他の実施形態を示す正面図である。
【図６】使用状態説明図である。
【図７】実施例のＶＳＷＲ特性の測定結果を示したグラフ図である。
【図８】実施例の４７０ＭＨｚにおける指向性及び利得特性の測定結果を示したグラフ図である。
【図９】実施例の５９０ＭＨｚにおける指向性及び利得特性の測定結果を示したグラフ図である。
【図１０】実施例の７１０ＭＨｚにおける指向性及び利得特性の測定結果を示したグラフ図である。
【図１１】比較例の指向性及び利得特性の測定結果を示したグラフ図である。
【図１２】他の比較例の指向性及び利得特性の測定結果を示したグラフ図である。
【発明を実施するための形態】
【０００９】
以下、図示の実施形態に基づき本発明を詳説する。
本発明の平面状アンテナは、図１及び図２に示すように、一方の給電点50と他方の給電点50の間かつ２つの給電点50，50近傍に形成されたスリット部59にて開口するループ状の外枠素子部５と、外枠素子部５の内方位置に配設され外枠素子部５と非接触の無給電素子部（寄生素子部）６と、を有するアンテナ素子部１を備え、さらに、アンテナ素子部１が貼設される（二点鎖線で図示する）基板Ｋを備えている。また、上記外枠素子部５はスリット部59のみが開口するループ状である。
【００１０】
外枠素子部５は、水平部52と垂直部53から成る直角Ｌ字ループ状かつ平面状に形成され、無給電素子部６の外周に沿って包囲状に配設されている。無給電素子部６は、水平部62と垂直部63から成る直角Ｌ字板状かつ平面状に形成されている。
【００１１】
外枠素子部５の水平部52（以下、外枠水平部52と呼ぶ場合もある）と無給電素子部６の水平部62（以下、無給電水平部62と呼ぶ場合もある）とで、水平偏波を送受信可能な平面状の水平アンテナ素子部２を形成している。外枠水平部52の幅方向中心線Ｓ52と、無給電水平部62の幅方向中心線Ｓ62とは、同一直線状であり、水平アンテナ素子部２の幅方向Ｗ２の水平部中心線Ｓ２となっている。
【００１２】
外枠素子部５の垂直部53（以下、外枠垂直部53と呼ぶ場合もある）と無給電素子部６の垂直部63（以下、無給電垂直部63と呼ぶ場合もある）とで、垂直偏波を送受信可能な平面状の垂直アンテナ素子部３を形成している。外枠垂直部53の幅方向中心線Ｓ53と、無給電垂直部63の幅方向中心線Ｓ63とは、同一直線状であり、垂直アンテナ素子部３の幅方向Ｗ３の垂直部中心線Ｓ３となっている。
【００１３】
アンテナ素子部１は、水平アンテナ素子部２と垂直アンテナ素子部３とを同一平面状に連続して形成した直角Ｌ字状に形成されている。（また、基板Ｋに平行状に配設されている。）
水平部中心線Ｓ２と垂直部中心線Ｓ３との交点を中心点Ｐと呼ぶと、中心点Ｐを通過し、水平部中心線Ｓ２又は垂直部中心線Ｓ３の間で45度の角度を有する斜線Ｔに関して、線対称形状に形成されている。
また、外枠素子部５の４つの外端角部５ｄ及び無給電素子部６の４つの外端角部６ｄは直角状に形成されている。
【００１４】
図３に於て、外枠素子部５の内側の一点鎖線で示す仮想の直角状の角部55を、面取り状に形成（斜めに切断）して、内斜縁部56を形成している。
図４に於て、無給電素子部６の外側の一点鎖線で示す仮想の直角状の角部65を、面取り状に形成して、外斜縁部66を形成している。
内斜縁部56と外斜縁部66とは、インピーダンスの不連続を解消し、ＶＳＷＲ（電圧定在波比）特性を向上させる。
【００１５】
図１に戻って、中心点Ｐから、外枠水平部52の外端辺部52ａまでの外枠水平部（長手）寸法Ｌ52の長さ調節にて、所望の周波数帯域の水平偏波を送受信可能としている。
また、中心点Ｐから、外枠垂直部53の外端辺部53ａまでの外枠垂直部（長手）寸法Ｌ53の長さ調節にて、所望の周波数帯域の垂直偏波を送受信域可能としている。
言い換えると、外枠素子部５の一方の給電点50から他方の給電点50までの周囲長（外枠素子部５の周囲長）の長さ調節（変更）にて、所望の周波数帯域（特に低周波帯域）の電波を送受信可能としている。
【００１６】
中心点Ｐから、無給電水平部62の外端辺部62ａまでの無給電水平部（長手）寸法Ｌ62の長さ調節にて、所望の周波数帯域の水平偏波を送受信可能としている。
また、中心点Ｐから、無給電垂直部63の外端辺部63ａまでの無給電垂直部（長手）寸法Ｌ63の長さ調節にて、所望の周波数帯域の垂直偏波を送受信可能としている。
言い換えると、無給電素子部６の水平・垂直方向寸法の長さ調節にて所望の周波数帯域（特に、高周波帯域）の電波を送受信可能としている。
【００１７】
また、アンテナ素子部１は、言い換えると、２つの給電点50，50の間に切れ目を有する円形ループアンテナを、水平方向に細長い長方形状に変形させて、長方形状ループアンテナを形成し、長方形ループ部の略中央部を中心として直角に折曲げて、直角Ｌ字ループ状の外枠素子部５を形成し、直角Ｌ字ループ部内に、直角Ｌ字板状の無給電素子部６を、中心線が同一直線状となるように配設したものとも言える。
【００１８】
また、外枠水平部52の内方の一側辺部52ｂと、無給電水平部62の一側辺部62ｂと、の間は第１水平部間隙寸法Ｅｂだけ離間している。
外枠水平部52の内方の他側辺部52ｃと、無給電水平部62の他側辺部62ｃと、の間は第２水平部間隙寸法Ｅｃだけ離間している。
外枠垂直部53の内方の一側辺部53ｂと、無給電垂直部63の一側辺部63ｂと、の間は第１垂直部間隙寸法Ｅｂ´だけ離間している。
外枠垂直部53の内方の他側辺部53ｃと、無給電垂直部63の他側辺部63ｃと、の間は第２垂直部間隙寸法Ｅｃ´だけ離間している。
第１水平部間隙寸法Ｅｂ、第１垂直部間隙寸法Ｅｂ´、第２水平部間隙寸法Ｅｃ、第２垂直部間隙寸法Ｅｃ´、は同寸法とするのが望ましい。
【００１９】
また、アンテナ素子部１は、二点鎖線で示す基板Ｋ上に貼着（接着）されている。基板Ｋに貼着（接着）されることで、外枠素子部５と無給電素子部６との相互の間隔寸法が保持されている。
基板Ｋの材質としては、樹脂シート（フィルム）、ガラス、電子基盤等、（非金属の）絶縁物であれば良く、視認性の面からは、透明乃至半透明が好ましい。
【００２０】
また、アンテナ素子部１の材質としては、固有抵抗が小さい（導電率が高い）ものであって、例えば、金属製薄板（金属箔）、金属メッシュ材（網板）、金属膜、透明導電膜、金属半透明膜、導電塗料膜等である。
金属製薄板としては、Ｃｕ、Ａｌ、Ａｇ、Ａｕ等であり、これら金属をエッチングによりメッシュ状に形成したものでもよい。
金属膜としては、Ａｕ、Ａｇ、Ｃｕ、Ａｌ、Ｐｄ、Ｐｔ等、又は、これらを含む合金である。
透明導電膜としては、基板Ｋに、ＩＴＯ、酸化亜鉛、酸化スズ等の金属酸化物を用いて、真空蒸着法、スパッタリング法、メッキ、電着等で基板Ｋ上に成膜されるものである。
金属半透明膜としては、Ａｇ−Ｃｕ、Ａｇ−Ｐｄ、Ｎｉ−Ａｕ等である。
金属塗料膜としては、金属ペーストやカーボンペーストを用いて、スクリーン印刷、ロールコーティング、転写等で基板Ｋ上に成膜されるものである。
【００２１】
また、アンテナ素子部１は、樹脂シート等の基板Ｋに、一旦、成膜し、その成膜したアンテナ素子部１を、ガラスや電子基盤等の別の基板Ｋに貼設可能なものでも良い。
また、アンテナ素子部１の可視透過率を７０％以上とするのが望ましい。このような透明性（視認性）が求められる場合の材質としては、金属メッシュ材、極めて薄い（例えば０.０５μｍ程の）金属箔、透明導電膜、金属半透明膜等である。
【００２２】
次に、図５に示す他の実施形態に於て、外枠水平部52の外端辺部52ａから、無給電水平部62の外端辺部62ａに接近する方向に突出する帯状水平突片57を設けている。また、外枠垂直部53の外端辺部53ａから、無給電垂直部63の外端辺部63ａに接近する方向に突出する帯状垂直突片58を設けている。帯状水平突片57の幅方向中心線Ｓ57は水平アンテナ素子部２の幅方向Ｗ２の水平部中心線Ｓ２と同一直線状である。また、帯状垂直突片58の幅方向中心線Ｓ58は垂直アンテナ素子部３の幅方向Ｗ３の垂直部中心線Ｓ３と同一直線状である。
【００２３】
中心点Ｐから帯状水平突片57の端辺部57ａまでの水平突片（長手）寸法Ｌ57（水平突出寸法Ｑ57）を長さ調節すると、所望の低周波数帯域の水平偏波を送受信可能としている。
中心点Ｐから帯状垂直突片58の端辺部58ａまでの垂直突片（長手）寸法Ｌ58（垂直突出寸法Ｑ58）を長さ調節すると、所望の低周波数帯域の垂直偏波を送受信可能としている。
つまり、外枠素子部５は、送受信可能な周波数帯域を調整可能な帯状水平突片57及び帯状垂直突片58を有している。
【００２４】
外枠水平部52の内方の一側辺部52ｂと、帯状水平突片57の一側辺部57ｂと、の間は第１水平突片間隙寸法Ｅｆだけ離間している。
外枠水平部52の内方の他側辺部52ｃと、帯状水平突片57の他側辺部57ｃと、の間は第２水平突片間隙寸法Ｅｇだけ離間している。
外枠垂直部53の内方の一側辺部53ｂと、帯状垂直突片58の一側辺部58ｂと、の間は第１垂直突片間隙寸法Ｅｆ´だけ離間している。
外枠垂直部53の内方の他側辺部53ｃと、帯状垂直突片58の他側辺部58ｃと、の間は第２垂直突片間隙寸法Ｅｇ´だけ離間している。
第１・２水平・垂直突片間隙寸法Ｅｆ、Ｅｇ、Ｅｆ´、Ｅｇ´は、第１・２水平・垂直部間隙寸法Ｅｂ，Ｅｃ，Ｅｂ´，Ｅｃ´と同寸法にするのが望ましい。
【００２５】
次に、本発明の平面状アンテナの作用（使用方法）について説明する。
図５に示した本発明に係る平面状アンテナ（実施例）のＶＳＷＲ特性の測定結果を図７に示す。
図７に示したように、地上波デジタルテレビ用周波数４７０ＭＨｚ〜７１０ＭＨｚといった広い周波数帯域で、一般の受信用アンテナに要求されるＶＳＷＲ値５．０以下を満たしていることが確認できた。特に、ＶＳＷＲ値３．０以下に着目すれば、ＶＳＷＲ値１．０に接近する方向に突出する低周波数側（寄りの）谷部Ｙ１と高周波数側（寄りの）谷部Ｙ２といった２つの谷部が確認できる。図示省略するが、一般的なダイポールアンテナでは谷部は１箇所しか確認できない。つまり、本発明に係る平面状アンテナが複数の周波数（複数の周波数帯域）を受信可能な広帯域アンテナであることが確認される。
【００２６】
図１又は図５と図７に於て、外枠素子部５の一方の給電点50から他方の給電点50までの周囲長を長くすると、低周波数側谷部Ｙ１がより低周波数側へ移動したようなグラフとなり、より低周波数側の電波を送受信可能となる。
なお、外枠水平部寸法Ｌ52を長くすると、より低周波数側の水平偏波を送受信可能となり、また、外枠垂直部寸法Ｌ53を長くすると、より低周波数側の垂直偏波を送受信可能となる。
【００２７】
無給電素子部６の水平・垂直方向寸法を短くすると、高周波数側谷部Ｙ２が高周波数側へ移動したようなグラフとなり、より高周波数側の電波を送受信可能となる。なお、無給電水平部寸法Ｌ62を短くすると、より高周波数側の水平偏波を送受信可能となり、また、無給電垂直部寸法Ｌ63を短くすると、より高周波数側の垂直偏波を送受信可能となる。
【００２８】
さらに、水平突片寸法Ｌ57を長くすると（水平突出寸法Ｑ57を短くすると）、低周波数側谷部Ｙ１が高周波数側へ移動して、より高周波数側の水平偏波を送受信可能となる。
また、垂直突片寸法Ｌ58を長く（垂直突出寸法Ｑ58を短く）すると、低周波数側谷部Ｙ１が高周波数側へ移動して、より高周波数側の垂直偏波を送受信可能となる。
【００２９】
次に、実施例を鉛直平面と平行状に設置した場合と、一般的な平面状のダイポールアンテナを水平設置した場合（比較例）と、一般的な平面状ダイポールアンテナを垂直設置した場合（他の比較例）と、の指向性及び利得を比較する。
【００３０】
先ず、図11に示すように、比較例は、４７０ＭＨｚの水平偏波に対して利得はあるが、４７０ＭＨｚの垂直偏波に対しては、ほぼ利得がないことが分かる。
また、図12に示すように、他の比較例は、４７０ＭＨｚの水平偏波に対して利得がほぼなく、４７０ＭＨｚの垂直偏波に対してのみ利得があることが分かる。
また、比較例及び他の比較例では、他の周波数帯には対応できない。  
【００３１】
図５の実施例は、図８に示すように、４７０ＭＨｚの水平偏波において、典型的な８の字型の指向性を示し、４７０ＭＨｚの垂直偏波において、真円に近い無指向性を示しており、水平偏波及び垂直偏波の両方とも利得がある（送受信可能な）ことが分かる。つまり、両偏波に対応できるアンテナ特性を有していることが確認できる。
さらに、図５の実施例は、図９に示すように、５９０ＭＨｚの水平偏波及び垂直偏波に対して利得があり、図10に示すように、７１０ＭＨｚ水平偏波及び垂直偏波に対しても利得があることが分かる。つまり、本発明によって、広帯域の周波数（複数の周波数帯域）の水平偏波及び垂直偏波の両偏波に対して利得のある（送受信可能な）アンテナが得られている。
【００３２】
なお、図８、図９、図10の実測試験に用いた平面状アンテナは、銅製のアンテナ素子部１であり、厚み寸法は０．３〜０．８ｍｍである。外枠水平・垂直部寸法Ｌ52，Ｌ53は１０７〜１１３ｍｍ、無給電水平・垂直部寸法Ｌ62，Ｌ63は５８〜６２ｍｍ、水平・垂直突出寸法Ｑ57，Ｑ58は２０〜２５ｍｍ、外枠水平・垂直部幅寸法Ｗ52，Ｗ53は１８〜２２ｍｍ、無給電水平・垂直部幅寸法Ｗ62，Ｗ63は１０〜１５ｍｍ、水平・垂直突片幅寸法Ｗ57，Ｗ58は１０〜１５ｍｍである。第１・２水平・垂直部間隙寸法Ｅｂ，Ｅｂ´，Ｅｃ，Ｅｃ´及び第１・２水平・垂直突片間隙寸法Ｅｆ，Ｅｆ´，Ｅｇ，Ｅｇ´は、０．５〜１．５ｍｍである。基板Ｋはガラスである。
【００３３】
また、図６に示すように、アンテナ素子部１をＬ字状に形成しているため、自動車のフロントガラスの隅部の縦横に沿って（隅部に接近させて）貼設でき、運転者や同乗車の視界を妨げることがない。自動車や建築物の窓等のガラスに貼着する際は、粘着シートから成る基板Ｋを介してガラスに貼設する場合や、ガラスそのものを基板Ｋとするも良い。
【００３４】
なお、本発明は、設計変更可能であって、内斜縁部56や外斜縁部66を形成せずとも良い。外端角部５ｄ，６ｄを丸山状（Ｒ形状）や面取り形状とするも良い。また、基板Ｋは、大きさがアンテナ素子部１以上であれば良く、外枠素子部５の外周縁に一致する形状や、矩形状、円形形状等自由である。
【００３５】
また、「貼着又は貼設」とは、基板Ｋの外面に接着剤、粘着剤、粘着テープ（シート）材等で取着した場合、アンテナ素子部１を２枚の基板Ｋの間に挟設・挟着させる場合、焼き付けての積層、転写、蒸着、塗装、成膜、電着、を包括している。
【００３６】
以上のように、本発明の平面状アンテナは、広帯域周波数の水平偏波を送受信する平面状の水平アンテナ素子部２と、広帯域周波数の垂直偏波を送受信する平面状の垂直アンテナ素子部３と、を同一平面状に連続して形成した直角Ｌ字状のアンテナ素子部１を備えたので、１つのアンテナで、水平偏波と垂直偏波との両偏波を確実に適切な利得をもって、均一に送受信可能な性能の高いアンテナを得ることができる。広帯域の周波数の水平偏波と垂直偏波とを送受信可能な平面状の薄いアンテナを得ることができ、自動車や建築物のガラス、或いは壁や天井等から突出状とならず、周囲の美観を損ねずに使用できる。ガラスや壁等の隅部に寄せて設けることができ、視認性や美観を損ねずに設置できる。特に、自動車の地上波デジタルテレビ用のアンテナに好適であって、自動車に設けるアンテナの数や種類、設置空間を削減できると共に視認性を向上できる。
【００３７】
また、直角Ｌ字状のアンテナ素子部１は、２つの給電点50，50を有すると共に給電点50，50近傍のスリット部59のみが開口するループ状であって、かつ、水平部52と垂直部53から成る直角Ｌ字状に形成された外枠素子部５と、外枠素子部５の内方位置に配設される水平部62と垂直部63から成る直角Ｌ字板状の無給電素子部６と、有し、外枠素子部５の水平部52と無給電素子部６の水平部62とで水平アンテナ素子部２を形成し、外枠素子部５の垂直部53と無給電素子部６の垂直部63とで垂直アンテナ素子部３を形成したので、所望の周波数（周波数域）を送受信可能な広帯域アンテナかつ両偏波を送受信可能なアンテナを容易に得ることができる。アンテナ素子部１の形状が簡素で製作及び施工（貼着作業）を容易に行うことができる。
【００３８】
また、外枠素子部５は、水平部52の外端辺部52ａから、無給電素子部６の水平部62の外端辺部62ａに接近する方向に突出する帯状水平突片57を有し、かつ、垂直部53の外端辺部53ａから、無給電素子部６の垂直部63の外端辺部63ａに接近する方向に突出する帯状垂直突片58を有するので、使用者が望む周波数域に対応するアンテナを容易に得ることができる。使用者のニーズにあったアンテナを迅速かつ容易に製作できる。大量生産と、多品種少量生産と、の両方に適したアンテナを得ることができる。
【符号の説明】
【００３９】
１  アンテナ素子部
２  水平アンテナ素子部
３  垂直アンテナ素子部
５  外枠素子部
６  無給電素子部
50  給電点
52  水平部
52ａ  外端辺部
53  垂直部
53ａ  外端辺部
57  帯状水平突片
58  帯状垂直突片
59  スリット部
62  水平部
62ａ  外端辺部
63  垂直部
63ａ  外端辺部
【図１】
2012019310.tif 000003
【図２】
2012019310.tif 000004
【図３】
2012019310.tif 000005
【図４】
2012019310.tif 000006
【図５】
2012019310.tif 000007
【図６】
2012019310.tif 000008
【図７】
2012019310.tif 000009
【図８】
2012019310.tif 000010
【図９】
2012019310.tif 000011
【図１０】
2012019310.tif 000012
【図１１】
2012019310.tif 000013
【図１２】
2012019310.tif 000014